(57)【要約】【課題】背枠と背支柱とを備えた椅子において、ヘッドレストやハンガー等のオプション品を体裁良く取付けできるようにする。【解決手段】背支柱１６は、連接部１８と左右の枝部５６とを有している。背もたれ３は背枠４１を有しており、背枠４１のアッパーフレーム５１が背支柱１６の連接部１８と枝部５６とに上から重なっている。枝部５６は、アッパーフレーム５１の下向き溝５７に嵌まっている。ヘッドレスト２１の基部２５は枝部５６の下面にビスで締結されている。ナットは、アッパーフレーム５１で隠れている。ハンガー２２の基部３５は、連接部１８の下面にビスで固定されている。ビスが螺合するナットは、連接部１８の上面に配置されている。【選択図】図７
2017086307.tif 000002
【特許請求の範囲】
【請求項１】
背もたれの外周部がアッパーフレームを有する背枠を備えており、前記アッパーフレームが背支柱の上端に重なっており、前記アッパーフレームは背支柱に連結されている構成であって、
前記背支柱は、オプション品の基部が下方から重なると共に前記アッパーフレームが上から覆われたオプション品取り付け部を有しており、前記オプション品取り付け部には、前記オプション品の基部に下方から挿通されたビスが通るビス挿通穴又はタップ穴を形成している、
椅子。
【請求項２】
前記オプション品取り付け部には前記ビス挿通穴が形成されており、前記オプション品取り付け部の上面に、前記アッパーフレームで上から覆われた状態でナット保持部を設けている、
請求項１に記載した椅子。
【請求項３】
前記背支柱の上端には、前記オプション品取り付け部として機能する左右横向きの枝部を形成しており、前記枝部は、前記アッパーフレームの下面に形成した下向き溝に嵌まっている、
請求項１又は２に記載した椅子。
【請求項４】
前記背支柱は、左右２本の縦フレームの上端が連接部を介して一体に繋がった形態であり、前記連接部は、その下面に１つのオプション品を固定できる第１オプション品取り付け部として機能し、前記枝部は、他のオプション品が前記枝部の下面に固定される第２オプション品取り付け部として機能している、
請求項３に記載した椅子。
【発明の詳細な説明】
【技術分野】
【０００１】
本願発明は、オプション品の取り付け構造に特徴を有する椅子に関するものである。ここに、オプション品の例としては、ハンガー、ヘッドレスト、ショルダーレスト、荷物掛けフックなどが挙げられる。
【背景技術】
【０００２】
椅子の背部にハンガーやヘッドレスト等のオプション品を取り付ける構造は、多々提案されている。オプション品をどのように取り付けるかは、背部の構造によって相違する。例えば、背もたれの上部が背支柱（バックフレーム）の上端に固定しているタイプの椅子におけるオプション品取り付け構造の例として、特許文献１には、背支柱の上端に左右横長のアッパープレートを設け、アッパープレートの前面に背もたれを固定し、アッパープレートの背面にハンガーを取り付けることが開示されている。
【先行技術文献】
【特許文献】
【０００３】
【特許文献１】特許第５１４４１８１号公報
【発明の概要】
【発明が解決しようとする課題】
【０００４】
特許文献１では、ハンガー等のオプション品は強度メンバーである背支柱に取り付けられるため、高い取り付け強度を有している利点がある。他方、椅子における背部の構造は様々であり、背もたれの外周を前後に開口した背枠で構成して、背枠を背支柱に固定（連結）しているタイプがあり、この場合は、オプション品をどのように取り付けるかが問題になる。
【０００５】
本願発明はこのような現状に基づいて成されたものであり、背もたれの外周部を背枠で構成している椅子において、オプション品を体裁よく取り付けできるようにすることを主たる目的とするものである。
【課題を解決するための手段】
【０００６】
本願発明は、背もたれの外周部がアッパーフレームを有する背枠を備えており、前記アッパーフレームが背支柱の上端に重なっており、前記アッパーフレームは背支柱に連結されている、という基本構成になっている。
【０００７】
そして、請求項１の発明では、前記基本構成において、前記背支柱は、オプション品の基部が下方から重なると共に前記アッパーフレームが上から覆われたオプション品取り付け部を有しており、前記オプション品取り付け部には、前記オプション品の基部に下方から挿通されたビスが通るビス挿通穴又はタップ穴を形成している。
【０００８】
請求項２の発明は、請求項１において、前記オプション品取り付け部には前記ビス挿通穴が形成されており、前記オプション品取り付け部の上面に、前記アッパーフレームで上から覆われた状態でナット保持部を設けている。
【０００９】
請求項３の発明は、請求項１又は２において、前記背支柱の上端には、前記オプション品取り付け部として機能する左右横向きの枝部を形成しており、前記枝部は、前記アッパーフレームの下面に形成した下向き溝に嵌まっている。
【００１０】
請求項４の発明は、請求項３において、前記背支柱は、左右２本の縦フレームの上端が連接部を介して一体に繋がった形態であり、前記連接部は、その下面に１つのオプション品を固定できる第１オプション品取り付け部として機能し、前記枝部は、他のオプション品が前記枝部の下面に固定される第２オプション品取り付け部として機能している。
【発明の効果】
【００１１】
本願発明では、オプション品の基部は、背支柱のオプション品取り付け部に下方から重なっているため、取り付け部は視認難くなっている。このため、美観に優れている。また、オプション品取り付け部はアッパーフレームで上から覆われているため、ビスやナットがオプション品取り付け部の上に露出していても、これが見えることはない。この面でも美観に優れている。つまり、アッパーフレームをビスやナットのカバーとして機能させることにより、美観の悪化を防止しているのであり、従って、カバーを要せずにコスト面で有利である。
【００１２】
オプション品の締結手段としては、背支柱のオプション品取り付け部にタップ穴を形成して、これにビスをねじ込むことも可能であるが、例えば背支柱が樹脂製の場合には、タップ穴のねじ山が潰れやすくなるという問題がある。この点、請求項２のようにオプション品取り付け部の上面にナットを配置すると、ねじ山の潰れのような問題はなくて信頼性に優れている。また、オプション品の基部と背支柱のオプション品取り付け部とがビス及びナットで共締めされるため、締結強度においても優れている。
【００１３】
請求項３において、アッパーフレームにナットの回り止め機能を持たせることも可能であり、この場合は、ナットをできるだけ高い位置に配置できるため、背支柱のオプション品取り付け部の上下高さをできるだけ高くすることができる。従って、締結強度の向上に貢献できる。
【００１４】
請求項３のように背支柱に枝部を設けると、アッパーフレームとの重なる範囲が広がることと、枝部がアッパーフレームに入り込んで一体感が高くなることとの相乗作用により、背支柱とアッパーフレームとの連結強度（固定強度）を向上できる。このため、ビスを使用せずに係合部の嵌合を利用した連結であっても、必要な強度を確保可能になる。また、枝部はアッパーフレームの内部に隠れていて視認できない（或いは視認し難い）ため、高い連結強度を確保しつつ美観を優れたものとすることができる。
【００１５】
また、枝部を設けたことによってオプション品の取り付け可能範囲が広がるため、枝部を利用してオプション品を安定的に取り付けることができる。特に、請求項４の構成を採用すると、連結部と枝部との両方にオプション品を取り付けできるため、例えば、連結部にはハンガーを取り付けて枝部にはヘッドレストを取り付けるというようにして、複数のオプション品を取り付けることができる。このため、使用者にとってユーザーフレンドリーである。
【図面の簡単な説明】
【００１６】
【図１】オプション品を取り付けていない状態で椅子を前方から見た斜視図であり、（Ａ）は可撓性シートを表示したもの、（Ｂ）は可撓性シートを省略したものである。
【図２】オプション品としてのヘッドレストとハンガーとを取り付けた状態を表示しており、（Ａ）は手前から見た斜視図、（Ｂ）は後ろから見た斜視図である。
【図３】オプション品を取り付けていない状態で椅子を後方から見た斜視図であり、（Ａ）は可撓性シートを表示したもの、（Ｂ）は可撓性シートを省略したもの、（Ｃ）は部分的な分離斜視図である。
【図４】背枠とシート保持枠との分離斜視図である。
【図５】アッパーシェルの裏返した状態での分離斜視図である。
【図６】第２係合部の個所の縦断側面図である。
【図７】（Ａ）（Ｂ）とも、ヘッドレスト取り付け構造を示す分離斜視図である。
【図８】（Ａ）は背支柱とアッパーフレームとの分離斜視図、（Ｂ）はアッパーフレームを下方から見た斜視図、（Ｃ）はハンガーの斜視図である。
【図９】ハンガーを取り付けた状態での中央部の縦断側面図である。
【図１０】ヘッドレストの取り付け個所の縦断側面図である。
【図１１】クッションタイプに仕様変更した状態を示す図で、（Ａ）は外観の大部分を示す斜視図、（Ｂ）はクッションを省略した状態での斜視図、（Ｃ）は分離斜視図である。
【発明を実施するための形態】
【００１７】
次に、本願発明の実施形態を図面に基づいて説明する。本願では、方向を特定するため左右・前後の文言を使用しているが、これは、椅子に普通に腰掛けた人を基準にしている。正面図は着座した人と対向した方向である。念のため、図１に方向を明示している。
【００１８】
本実施形態は、オフィスで多用されている回転椅子に適用している。また、本実施形態の椅子は、人が着座すると背もたれの前部が前進するタイプである。本実施形態では、本願発明を背もたれに適用している。図１〜１０では、背もたれをメッシュタイプとした状態を示し、図１１では、背もたれをクッションタイプとした状態を示している。
【００１９】
(1).椅子の概略
まず、図１〜３を参照して、椅子の概略を説明する。図１のとおり、椅子は、主要要素として、脚装置１、座２、背もたれ３を備えている。脚１は、ガスシリンダより成る脚支柱４と放射方向に延びる枝部５とを有しており、各枝部５の先端にはキャスタを設けている。脚支柱４の上端には、上向きに開口した略箱状のベース（図示せず）が固定されている。
【００２０】
図示していないが、ベースの前端部には、樹脂製やアルミダイキャスト製のフロントブロックがボルトで固定されており、フロントブロックには、左右一対のフロントリンクが回動可能に取り付けられている。フロントリンクは、人が着座していないニュートラル状態で、側面視で鉛直線に対して少し後傾しており、人が着座すると後傾する。
【００２１】
また、ベースには、図示しない傾動体が、左右長手の支軸によって後傾動自在に連結されており、傾動体１の後部に、リアブロック１４が固定されている。リアブロック１４の後部に背支柱１６が固定されており、背支柱１６の上端に背もたれ３の上端部が取り付けられている。背支柱１６は、左右２本の縦フレーム１７を有しており、左右縦フレーム２６の上端は連接部１８を介して一体に繋がっている。
【００２２】
図２のとおり、背もたれ４の下端部は、前後傾動自在な第２連動リンク１９の上端部に連結されている。そして、リアブロック１４には、左右一対のリアリンク（図示せず）がフロントリンクと平行な状態で連結されており、座２は、座アウターシェルを介してフロントリンク及びリアリンクに連結されており、人が着座すると、座フロントリンクとリアリンクを後傾させて座が下降動し、かつ、リアリンクの回動に連動する第１連動リンク（図示せず）を介して第２連動リンク１９が前傾動する。
【００２３】
従って、人が着座すると、背もたれ３は、その上端を中心にして屈曲することにより、下端部が前進する。これにより、人が浅く腰掛けても、人の腰部が背もたれ３によって支持される。人が深く腰掛けた場合は、既述した第１連動リンクが変形することにより、背もたれ３は動くことなく座２の下降動が許容される。座２の支持構造、背もたれ３の前進機構、ロッキング機構などは本願発明との直接の関連はないので、詳しい説明は省略する。
【００２４】
図２に示すように、本実施形態の椅子には、オプション品の例として、ヘッドレスト２１とハンガー２２とを取り付けることができる。これらヘッドレスト２１とハンガー２２とは背支柱１６に固定さている。その詳細は後述する。
【００２５】
(2).背部の概要
次に、図４以下も参照して背もたれ３を説明する。例えば図１，３に示すように、背もたれ３は、前後に開口した背枠４１と、背枠４１の前面に重なった上下のシート保持枠４６，４７と、着座者の体圧を受けるメッシュ状の可撓性シート４８とを有している。
【００２６】
図示は省略するが、可撓性シート４８の周囲には、樹脂テープ等からなる帯状の縁部材を縫着等で固定しており、縁部材は、シート保持枠４６，４７の裏面に装着（係止）されている。また、シート保持枠４６，４７は、上シート保持枠４６と下シート保持枠４７とに分割されているが、可撓性シート４８は１枚である。上シート保持枠４６と下シート保持枠４７との上下高さの比率は、任意に設定できる。
【００２７】
図３に示すように、背枠４１は、上下方向に長い左右のサイドフレーム５０と、左右サイドフレーム５０の上端に繋がったアッパーフレーム５１と、左右サイドフレーム５０の下端間に繋がったロアフレーム４２とで構成されており、全体的には、正面視で概ね四角形に成っている。他方、アッパーフレーム５１は、その全体がサイドフレーム５０の後ろに位置しており、側面視では、後ろ下向きに向かうように折り返された形態になっている。
【００２８】
他方、図４に示すように、上シート保持枠４６は、背枠４１のサイドフレーム５０に手前から重なるサイドメンバー５２と、左右サイドフレーム５０の上端に一体に繋がったアッパーシェル５３とを有している。アッパーシェル５３は、左右サイドメンバー５２の上端間に延びる横長装架部５３ａと、横長装架部５３ａから後ろ下向きに曲がったカール部５３ｂとを有しており、カール部５３ｂが背枠４１のアッパーフレーム５１に固定されている。なお、アッパーシェル５３は、シェル状のアッパーメンバーと言い換えてもよい。
【００２９】
図４に示すように、下シート保持枠４７の大部分は、背枠４１のロアフレーム４２に重なった水平状部４７ａで構成されており、水平状部４７ａの左右両端に、背枠４１のサイドフレーム５０の下部に重なる起立部４７ｂを一体に設けている。
【００３０】
本実施形態では、背枠４１のアッパーフレーム５１と上シート保持枠４６のカール部５３ｂとが一体になっている。そこで、背枠４１のアッパーフレーム５１は、カール部５３ｂで後ろからも覆われている。図３（Ａ）に示すように、カール部５３ｂは、その全体が可撓性シート４８で覆われている。また、アッパーフレーム５１及びカール部５３ｂの手前は、左右全長にわたって空間が空いている。
【００３１】
(3).背枠
次に、背もたれ３の詳細を説明する。まず、背枠４１の構造と、背支柱１６への取り付け構造を説明する。例えば図４から理解できるように、背枠４１を構成するサイドフレーム５０とロアフレーム４２とは、前向きに開口した断面Ｖ形になっている。
【００３２】
図４から理解できるように、サイドフレーム５０は、基本的には前向き開口のＶ型であるが、上端部はコ字形の浅い溝状になっている。他方、アッパーフレーム５１のうちサイドフレーム５０に連続した左右端部は、側面視でＵ形に曲がった平板状のヒンジ部５４に成っている。このヒンジ部５４が変形して背もたれ３の姿勢が変化することにより、背もたれ３は、着座によって下端が前進する。
【００３３】
背支柱１６の連接部１８は背面視で上向き凸に湾曲している一方、アッパーフレーム５１の左右中間部に、背支柱１６の連接部１８に上から嵌まるように下向きに開口したドーム部５５を形成している。例えば図２に示すように、カール部５３ｂにも、背支柱１６の連接部１８に対応した下向き開口溝５５′が形成されている。
【００３４】
また、アッパーフレーム５１のうちドーム部５５を挟んだ左右両端の部位は、左右外側に向けて高くなるように（ドーム部５５に向けて低くなるように）傾斜しており、アッパーフレーム５１を全体として見ると、背面視では、下向き凸に湾曲したナベ形状に成っている。これに対応して、カール部５３ｂも、背面視で下向き凸に湾曲したナベ形状に成っている。
【００３５】
例えば図６に示すように、背支柱１６の上端部に、左右外側に張り出した枝部５６が一体に形成されている一方、アッパーフレーム５１のうちドーム部５５の左右両側の部分には、枝部５６が嵌まる下向き溝５７を形成している。このように、アッパーフレーム５１と枝部５６とが嵌合することにより、支持強度のアップとねじれ防止機能強化とが図られている。
【００３６】
(4).アッパーフレームへのアッパーシェルとシート保持枠の連結構造
本実施形態では、背枠４１へのシート保持枠４６，４７の取り付けは、まず、上シート保持枠４６を背枠４１に取り付けてから、次いで、下シート保持枠４７を背枠４１に重ねる、という手順で取り付けられる。従って、上シート保持枠４６のカール部５３ｂが背枠４１のアッパーフレーム５１に嵌合することと、上シート保持枠４６のサイドメンバー５２が背枠４１のサイドフレーム５０に嵌合することとが、一連に行われる。尚、シート保持枠４６，４７には、後述の方法で予め可撓性シート４８が取り付けられている。
【００３７】
図５に示すように、カール部５３ｂとアッパーフレーム５１との嵌合手段としては、アッパーフレーム５１に、左右中間から外側に向かって、順に、第１雌型係合部６０，第２雌型係合部６１，第３雌型係合部６２が、左右一対ずつ上向きに開口するように形成されている一方、カール部５３ｂの前面には、各雌型係合部６０，６１，６２に対応して、第１〜第３の雄型係合部６３〜６５を設けている。
【００３８】
この場合、第１雌型係合部６０は後ろと上とに開口した単純な係合穴の形状であり、第１雄型係合部６３は、単なる下向き突起である。従って、第１雌型係合部６０と第１雄型係合部６３とは、左右方向の位置決めを行っている。
【００３９】
第３雄型係合部６６は側面視Ｌ型の爪形状であり、第３雌型係合部６２は上向きに開口した係合穴である。従って、第３雄型係合部６６が第３雌型係合部６２に嵌まることにより、アッパーシェル５３（カール部５３ｂ）は、前後ずれ不能に保持される。また、第３雄型係合部６６と第３雌型係合部６２とは、左右方向の位置決め機能も備えている。
【００４０】
図６に示すように、第２雄型係合部６４は、下向きの位置決め突起６４ａと、上向きの係合爪８４ｂ、及び、両者に連結された基部６４ｃとを有しており、側面視で略横向きＴ型の形態を成している。基部６４ｃは、アッパーシェル５３の前面から手前に突出している。係合爪７４ｂの上端には、前向きの爪部６４ｄを設けている。爪部６４ｄの前面には、傾斜ガイド面６４ｅが形成されている。第２雌型係合部６１は、位置決め突起６４ａが上から嵌まる上向き開口の位置決め穴６１ａと、係合爪６４ｂが後ろから嵌まり込む前後開口の係合穴６１ｂとを有している。
【００４１】
位置決め穴６１ａの後ろは壁６１ｃになっており、壁６１ｃの後ろにアッパーシェル５３の下端部が位置している。第２雄型係合部６４をアッパーフレーム５１に後ろから重ねた状態でアッパーフレーム５１を下向き動させると、位置決め突起６４ａが位置決め穴６１ａに嵌まっている状態で、係合爪６１ｂは、傾斜ガイド面６１ｃのガイド作用によって、いったん後ろに逃げるように曲がり変形し、次いで、戻り変形して係合穴６１ｂに嵌まり込む。これにより、アッパーシェル５３は上向き抜け不能に保持される。
【００４２】
そして、位置決め突起６４ａが位置決め穴６１ａに対して、前後方向と左右方向とにずれ不能に嵌まっているため、第２雄型係合部６４と第２雌型係合部６１とにより、アッパーシェル５３の前後方向及び左右方向の位置決めと、上抜き抜け防止機能とが発揮されている。
【００４３】
図４では、背枠４１は手前から見た状態に表示して、シート保持枠４６，４７は後ろから見た状態（１８０°程度反転させた状態）に表示している。この図４から理解できるように、第１シート保持枠４６のサイドメンバー５２に、縦長の第１位置決め突起６７と下向き鉤爪６８との対を上下に３対後ろ向き突設している一方、背枠４１のサイドフレーム５０には、位置決め突起６７を左右から挟む左右一対の第１触れ止め突起６９と、下向き鉤爪６８が上から嵌まる平面視門型の第１爪キャッチ７０を上下に３段ずつ形成している。
【００４４】
下シート保持枠４７を背枠４１に取り付ける手段としては、まず、下シート保持枠４７における起立部４７の上端に上向き鉤爪７１を突設し、その下方に第２位置決め突起７２を形成し、更に、水平状部４７ａの左右両端に横向き鉤爪７３を設ける一方、背枠４１のサイドフレーム５０には、上向き鉤爪７１が下方から嵌まる第２爪キャッチ７４と、第２位置決め突起７２が手前から嵌まる第２触れ止め片７５とを形成し、更に、ロアフレーム４２には、横向き鉤爪７３が係合する側面視門型の第３爪キャッチ７６を設けている。
【００４５】
(4).ヘッドレスト・ハンガーの取り付け構造
次に、主として図７〜１０を参照して、ヘッドレスト２１とハンガー２２の取り付け構造を説明する。図７に示すように、ヘッドレスト２１は、前後に開口した左右横長の主枠体２３と、主枠体２３の左右中間部から下向きに分岐した左右の足部２４とを有しており、足部２４の下端に、背支柱１６の枝部５６に下方から重なる基部（取付け部）２５を背受けている。
【００４６】
主枠体２３には、背もたれ３がメッシュタイプである場合は、背もたれ３の可撓性シート４８と同じものが張られる。他方、背もたれ３がクッションタイプである場合は、クッション層を備えたメッシュ材が張られて、クッション層の表面は、背もたれ３のクッションを覆っている表皮材と同じもので覆われる。図２では、可撓性シート４８を張った状態を示している。
【００４７】
図７のとおり、ヘッドレスト２１の基部２５には、上向きの位置決め突部２６を形成している。この上向き突部２６は下向きに凹んでおり、図１０に示すように、位置決め突部２６に、ビス２７が下方から嵌まるビス挿通穴２８を形成している。ビス挿通穴２８には、ビス２７の頭が隠れる座繰り穴２９を形成している。
【００４８】
ヘッドレスト２１の基部２５は背支柱１６における枝部５６の先端部に下方から重なるように設定しており、枝部５６の先端には、ヘッドレスト２１の位置決め突部２６が嵌合する段上がり部３０を形成している。段上がり部３０は断面逆Ｌ形になっており、図１０に示すように、段上がり部３０の上面にナット３１を配置している。従って、枝部５６の上面がナット保持部になっている。アッパーフレーム５１には、下向き溝５７と連通したナット挿入穴３２が手前に向けて開口している（図７も参照）。なお、ナット３２は、ナット挿入穴３２に回転不能に保持されている。
【００４９】
ヘッドレスト２１を取り付ける場合は、ナット挿入穴３２にナット３１を手前から挿入して、ビス２７を下方からナット３１にねじ込んだらよい。これにより、ヘッドレスト２１の基部２５と背支柱１６の枝部５６とが強固に共締めされる。ナット３１はアッパーフレーム５１及びアッパーシェル５３で隠れているため、美観の悪化の問題はない。
【００５０】
なお、枝部５６の上面に、ナット３１が回転不能に嵌まる溝を形成しておいて、アッパーフレーム５１により、ナット３１を抜け不能に保持することも可能である。
【００５１】
図８に示すように、ハンガー２２は、略Ｙ形の中央部３３と、中央部３３の上端から横向きに取り出したバー部３４と、中央部３３の下端から手前に向いた基部３５とを有しており、図９のとおり、基部３５がビス３６で背支柱１６の連接部１８に固定されている。
【００５２】
この場合、図８（Ｃ）に示すように、ハンガー２２の基部３５に、基部３５の外周を広げたような外向きリブ３５ａを形成し、このリブ３５ａにボルト挿通部３５ｂを一体に設けている。他方、背支柱１６の連接部１８には、図９及び図７（Ｂ）に示すように、外向きリブ３５ａが嵌まる凹部３７を形成している。また、図９及び図８（Ｂ）に示すように、アッパーフレーム５１には、連接部１８の手前に位置した前部３８を下向きに突設している。前壁３８は、ハンガー２２の外向きリブ３６とにも嵌合している。
【００５３】
背支柱１６における連接部１８の上面には、ナット保持部の例として、ナット３９が重なる受け座１８ａを形成している（図８（Ａ）では、受け座１８ａは省略している。）。また、図９及び図８（Ｂ）に示すように、アッパーフレーム５１には、ナット３９が回転不能に嵌まる下向き開口のナット保持溝４０を形成している。
【００５４】
ハンガー２２の基部３５は、ビス３６とナット３９とにより、背支柱１６の連接部１８に固定されている。実施形態のように外向きリブ３６を設けて、背支柱１６の連接部１８と嵌まり合わせると、１本のビス３６による固定でありながら、ガタ付きを無くして高い締結強度を得ることができる。
【００５５】
(5).クッションタイプ仕様
図１１に示すように、本願発明の背もたれ３はクッションタイプとすることも可能である。このクッションタイプでは、体圧受け体の例としての背板８５を使用している。アッパーシェル５３は、背板８５とは別部材になっているが、連結構造はメッシュタイプと同じである。
【００５６】
背板８５の左右両側部には、背枠４１のサイドフレーム５０に重なるサイドメンバー（サイド縁部）８６を設け、背板８５の上端には、アッパーシェル５３が取り付くアッパーメンバー（アッパー縁部）８７を設け、背板８５の下端には、背枠４１のロアフレーム４２に手前から重なるロアメンバー（ロア縁部）８８設けている。
【００５７】
背板８５のうちサイドメンバー８６とロアメンバー８８とで囲われた部分は、背枠４１で囲われた空間に入り込んだ本体部９０になっている。従って、本体部９０は、サイドメンバー８６及びロアメンバー８８から後ろ向きに向けて段落ちしており、この段落ちした部分は、符号９０ａで示す壁になっている。従って、背板８５は、概ね浅いトレー状の外観を呈している。
【００５８】
本体部９０にクッション材９１が嵌まっており、クッション材９１は表皮材９２で覆われている。本体部９０の下部には、多数の横長スリット９３を形成した変形容易部になっている。符号８９は、表皮材９２を後ろに引き込むためのスリットである。また、符号９８は、クッション材９１を固定するためのボスである。表皮材９２とクッション材９１との間には、厚さ数ｍｍの薄いウレタンシートが介在しており、ウレタンシートは、アッパーシェル５３の外面まで広がっている。図６では、ウレタンシートを設けた場合の表皮材９２の位置を二点鎖線で表示している。
【００５９】
以上、本願発明の具体例を説明したが、本願発明は他にも様々に具体化できる。例えば、ヘッドレストやハンガー等のオプション品の形態は、デザイン等の要請に応じて任意に設定できる。背支柱は、単なるＴ形なども採用できる。連接部１８を実施形態よりも横長に形成して、全体的に門型の形態とすることも可能である。
【産業上の利用可能性】
【００６０】
本願発明は、椅子に具体化できる。従って、産業上利用できる。
【符号の説明】
【００６１】
３  背もたれ
１６  背支柱
１７  縦フレーム
１８  連接部
２１  オプション品としてのヘッドレスト
２２  オプション品としてのハンガー
２７，３６  ビス
３１，３２  ナット
４１  背枠
５１  背枠のアッパーフレーム
５３  アッパーシェル
５６  背支柱の枝部
５７  下向き溝
【図１】
2017086307.tif 000003
【図２】
2017086307.tif 000004
【図３】
2017086307.tif 000005
【図４】
2017086307.tif 000006
【図５】
2017086307.tif 000007
【図６】
2017086307.tif 000008
【図７】
2017086307.tif 000009
【図８】
2017086307.tif 000010
【図９】
2017086307.tif 000011
【図１０】
2017086307.tif 000012
【図１１】
2017086307.tif 000013